(57)【要約】      （修正有）【課題】生産効率をアップできる電気コネクタを提供する。【解決手段】電気コネクタは、絶縁本体２００、該絶縁本体中に固定された絶縁係止体３００、該絶縁係止体に取付けられた導電端子４１０，４２０、該絶縁本体を被覆する金属ケース１００よりなる。該電気コネクタは更に固定ブロック５００を包含し、該固定ブロックに縦向きに該固定ブロックを貫通する挿入溝２０５，３０２と貫通溝５０５，５０６が設けられ、該固定ブロックにさらに突出する係合部を設ける。又、該絶縁係止体の上端面に端子溝３０３が開設され、該絶縁係止体の下端面に突出する挿入ブロック３０７とフック３０８が設けられ、該導電端子の別端が該貫通溝中に挿入され、該絶縁係止体の挿入ブロックが該固定ブロックの挿入溝中に挿入され、該絶縁係止体のフックと該固定ブロックの係合部が係合される。【選択図】図２
0003161645.tif 000002
【実用新案登録請求の範囲】
【請求項１】
金属ケース、絶縁本体、絶縁係止体、及び導電端子を包含し、該導電端子は該絶縁係止体に取付けられ、該絶縁係止体は該絶縁本体中に固定され、該金属ケースは該絶縁本体を被覆する電気コネクタにおいて、
該電気コネクタはさらに、固定ブロックを包含し、該固定ブロックに縦向きに該固定ブロックを貫通する挿入溝と貫通溝が設けられ、該固定ブロックにさらに突出する係合部が設けられ、該絶縁係止体の上端面に端子溝が開設され、該絶縁係止体の下端面に突出する挿入ブロックとフックが設けられ、該導電端子の一端が該絶縁係止体の端子溝中に嵌合され、該導電端子の別端が該貫通溝中に挿入され、該絶縁係止体の挿入ブロックが該固定ブロックの挿入溝中に挿入され、該絶縁係止体のフックと該固定ブロックの係合部が係合されたことを特徴とする電気コネクタ。
【請求項２】
請求項１記載の電気コネクタにおいて、該係合部は該挿入溝の両側に対称に設けられ、該フックは該挿入ブロックの両側に対称に設けられたことを特徴とする電気コネクタ。
【請求項３】
請求項１記載の電気コネクタにおいて、該挿入溝と該貫通溝は相互に平行であることを特徴とする電気コネクタ。
【請求項４】
請求項１記載の電気コネクタにおいて、該固定ブロックの両側より第１突起がそれぞれ突伸し、該絶縁本体に該第１突起と嵌合する第１嵌め口が開設されたことを特徴とする電気コネクタ。
【請求項５】
請求項１記載の電気コネクタにおいて、該導電端子は第１導電端子と第２導電端子を包含し、該絶縁係止体の上端面と下端面に第１端子溝と第２端子溝が開設され、該固定ブロックの貫通溝が平行に設置された第１貫通溝と第２貫通溝を包含し、該第１導電端子の両端が該第１端子溝と該第１貫通溝に対応し挿入され、該第２導電端子の両端が該第２端子溝と該第２貫通溝に対応し挿入されることを特徴とする電気コネクタ。
【請求項６】
請求項１記載の電気コネクタにおいて、該絶縁係止体の両側よりそれぞれ第２突起が突伸し、該絶縁本体の両側に該第２突起と嵌合する第２嵌め口が開設されたことを特徴とする電気コネクタ。
【考案の詳細な説明】
【技術分野】
【０００１】
本考案は一種の電気コネクタに係り、特に電子器材間の電気コネクタに関する。
【背景技術】
【０００２】
電子製品の不断の発展に伴い、各種の電子製品の間及び電子製品とその周辺装置の間の接続がますます頻繁となった。現在、電気コネクタは携帯電話、デジタルカメラ等の製品とコンピュータの間の接続に用いられて、イメージ、音楽及びビデオ等のデータの伝送を実現する。
【０００３】
現在ある電気コネクタは一般に、金属ケース、絶縁本体、絶縁係止体、及び導電端子を包含する。該絶縁本体は、前壁、後壁、上壁、底壁及び二つの側壁を有する。絶縁本体の上壁に前向きに突出する挿入部が形成され、且つ絶縁本体に挿入部の前端より後ろ向きに延伸され並びに該絶縁本体を貫通する収容溝が設けられている。該絶縁係止体に、該絶縁係止体の縦長方向に沿って、該絶縁係止体を貫通する端子溝が設けられ、各二つの端子溝の間にリブが設けられている。導電端子は絶縁係止体の対応する端子溝中に嵌め止めされる。このほか、絶縁本体の二つの側壁にそれぞれ嵌め口が設けられ、絶縁係止体の両側に該嵌め口に対応する凸塊が設けられている。絶縁係止体と絶縁本体は凸塊と嵌め口の嵌合により固定され、且つリブが絶縁本体の収容溝中に収容される。金属ケースが絶縁本体と絶縁係止体を被覆し、外部電磁干渉を遮断する。
【０００４】
しかし、導電端子の外部回路板とのはんだ付けに使用される一端は、細長く、湾曲しやすく、湾曲した導電端子は外部回路板中に挿入しにくく、このため、電気コネクタの組立効率が低くなり、生産コストがアップした。
【考案の概要】
【考案が解決しようとする課題】
【０００５】
本考案は上述の既存の技術の不足に対して、一種の電気コネクタを提供することを目的とし、該電気コネクタは、大規模バッチ化生産において組立をスピーディーに、正確に行え、これにより生産コストを下げ、生産効率をアップできるものとする。
【課題を解決するための手段】
【０００６】
上述の目的を実現するため、本考案の提供する電気コネクタは、金属ケース、絶縁本体、絶縁係止体及び導電端子を包含し、該導電端子は該絶縁係止体に取付けられ、該絶縁係止体は該絶縁本体中に固定され、該金属ケースは該絶縁本体を被覆し、そのうち、電気コネクタはさらに、固定ブロックを包含し、該固定ブロックに縦向きに該固定ブロックを貫通する挿入溝と貫通溝が設けられ、該固定ブロックにさらに突出する係合部が設けられ、該絶縁係止体の上端面に端子溝が開設され、該絶縁係止体の下端面に突出する挿入ブロックとフックが設けられ、該導電端子の一端が該絶縁係止体の端子溝中に嵌合され、該導電端子の別端が該貫通溝中に挿入され、該絶縁係止体の挿入ブロックが該固定ブロックの挿入溝中に挿入され、該絶縁係止体のフックと該固定ブロックの係合部が係合される。
【考案の効果】
【０００７】
以上の構成により、本考案の電気コネクタの固定ブロックは導電端子の外部回路板とのはんだ付けに供される一端を安定して位置決めし、これにより、導電端子をはんだ付け時に湾曲させにくくし、これにより電気コネクタの組立をスピーディーに正確に行えるようにし、これにより電気コネクタの組立効率をアップし、生産コストを下げることができる。
【図面の簡単な説明】
【０００８】
【図１】本考案の電気コネクタの立体図である。
【図２】図１の電気コネクタの立体分解図である。
【図３】図１の電気コネクタの別角度から見た立体分解図である。
【図４】図１の電気コネクタの平面図である。
【図５】図４の電気コネクタのＺ−Ｚ断面図である。
【考案を実施するための形態】
【０００９】
本考案の技術内容、構造特徴、その達成する目的及び作用効果について詳細に説明するため、以下に例を挙げて並びに図面を組み合わせて詳しく説明する。
【００１０】
図１から図３を参照されたい。本考案の電気コネクタは、金属ケース１００、絶縁本体２００、絶縁係止体３００、固定ブロック５００、第１導電端子４１０、及び第２導電端子４２０を包含する。第１導電端子４１０と第２導電端子４２０の一端は、絶縁係止体３００に係止され、別端は固定ブロック５００中に係止される。固定ブロック５００と絶縁係止体３００は固定後に一体に絶縁本体２００中に固定される。金属ケース１００は絶縁本体２００を被覆する。
【００１１】
金属ケース１００は接続口１０１を具え、該接続口１０１は外部コネクタとの接続に使用される。金属ケース１００の四つの側面には係止舌部１０２が設けられている。且つ金属ケース１００の底面より二つのピン１０３が突出し、外部回路板との接続に供される。
【００１２】
具体的には、図２、図３を参照されたい。絶縁本体２００は、全体が一つの成形部品であり、それは直方体形状の第１ベース２０１を有する。第１ベース２０１は前壁（図示せず）、上壁２０２、二つの側壁２０３及び底壁２０４を有する。第１ベース２０１の前壁より前向きに垂直に第１挿入部２０５が突伸している。上壁２０２及び二つの側壁２０３及び前壁が包囲することで一つの収容室２０６が形成されている。第１挿入部２０５の下端面に収容溝２０７が開設され、且つ収容溝２０７は第１ベース２０１に向けて延伸されて該第１ベース２０１を貫通する。二つの側壁２０３の後端面に第１嵌め口２０８が開設され、且つ二つの側壁２０３の中部に側壁２０３を貫通する第２嵌め口２０９が開設される。
【００１３】
絶縁係止体３００は第２ベース３０１を具えている。該第２ベース３０１に前向きに突伸する第２挿入部３０２が設けられている。第２挿入部３０２の上端面に第１端子溝３０３が開設され、且つ該第１端子溝３０３は延伸されて第２ベース３０１の上端面を貫通し、第２挿入部３０２の下端面に第２端子溝３０４が開設され、且つ第２端子溝３０４は延伸されて第２ベース３０１を貫通する。各二つの第１端子溝３０３の間に、断面がＴ字形を呈するリブ３０５が形成され、且つリブ３０５にさらに開口３０６が設けられている。第２ベース３０１の下端面より垂直に挿入ブロック３０７と挿入ブロック３０７の両側に対称に設けられたフック３０８が延伸されている。且つ第２ベース３０１の両側に外向きに、第２突起３０９が凸設されている。第２ベース３０１の第２突起３０９と第１ベース２０１の第２嵌め口２０９が嵌合し、これにより絶縁係止体３００が絶縁本体２００の収容室２０６中に固定される。
【００１４】
第１導電端子４１０は第１固定部４１１と、該第１固定部４１１の一端が折り曲げられ延伸されてなる第１接触部４１２と、該第１固定部４１１の別端が下向きに垂直に折り曲げられ延伸されてなる第１ソルダー部４１３を具えている。第１固定部４１１の両側に一対をなす刺部４１４が設けられている。第１導電端子４１０の第１固定部４１１は第１端子溝３０３中に嵌め込まれ、且つ刺部４１４とリブ３０５の開口３０６が係合し、こうして第１導電端子４１０が絶縁係止体３００に固定される。第１接触部４１２は第１端子溝３０３より突出して外部コネクタの接続端子と接続される。第１ソルダー部４１３は絶縁係止体３００の後端面に平行である。
【００１５】
第２導電端子４２０は第２固定部４２１と、該第２固定部４２１の一端が折り曲げられ延伸されてなる第２接触部４２２と、該第２固定部４２１の別端が下向きに垂直に折り曲げられ延伸されてなる第２ソルダー部４２３を具えている。第２固定部４２１は第２端子溝３０４に嵌め込まれ、且つ第２接触部４２２は第２端子溝３０４より突出し、外部コネクタの接続端子との接続に便利である。第２ソルダー部４２３は絶縁係止体３００の後端面に当接する。
【００１６】
詳細には、図２から図５に示されるように、固定ブロック５００は第３ベース５０１を具え、第３ベース５０１の前端面より凸塊５０２と該凸塊５０２の両側に設けられた係合部５０３が突伸している。凸塊５０２中に縦向きに貫通する挿入溝５０４が設けられている。第３ベース５０１中に縦向きに貫通し且つ平行に設置された第１貫通溝５０５と第２貫通溝５０６が設けられている。且つ第１貫通溝５０５と第２貫通溝５０６はいずれも挿入溝５０４と平行である。第１導電端子４１０の第１ソルダー部４１３が固定ブロック５００の第１貫通溝５０５を貫通し、第２導電端子４２０の第２ソルダー部４２３が固定ブロック５００の第２貫通溝５０６を貫通する。第３ベース５０１の両側面よりそれぞれ第１突起５０７が突伸している。
【００１７】
絶縁係止体３００と固定ブロック５００が固定接続される時、絶縁係止体３００の挿入ブロック３０７が固定ブロック５００の挿入溝５０４中に挿入され、絶縁係止体３００のフック３０８と固定ブロック５００の係合部５０３が係合される。第３ベース５０１の第１突起５０７が絶縁本体２００の第１嵌め口２０８中に嵌合され、固定ブロック５００と絶縁本体２００の接続がさらに強固とされる。
【００１８】
以下に図１から図５を組合せて本考案の電気コネクタの組立過程を説明する。まず、第１導電端子４１０の第１固定部４１１が絶縁係止体３００の第１端子溝３０３中に嵌め込まれ、並びに刺部４１４が開口３０６中に係合され、第１接触部４１２が絶縁係止体３００の第２挿入部３０２の前端面より突出させられる。続いて、第２導電端子４２０の第２固定部４２１が第２端子溝３０４中に嵌め込まれ、並びに第２導電端子４２０の第２接触部４２２が絶縁係止体３００の第２挿入部３０２の下端面より突出させられる。その後、絶縁係止体３００の挿入ブロック３０７が固定ブロック５００の挿入溝５０４中に挿入され、並びに絶縁係止体３００のフック３０８が固定ブロック５００の係合部５０３と係合され、これにより、絶縁係止体３００と固定ブロック５００が固定接続される。且つ第１導電端子４１０の第１ソルダー部４１３と第２導電端子４２０の第２ソルダー部４２３がそれぞれ固定ブロック５００の第１貫通溝５０５と第２貫通溝５０６に通され、これにより第１ソルダー部４１３と第２ソルダー部４２３が強固に固定ブロック５００中に固定される。続いて、一体に固定された絶縁係止体３００と固定ブロック５００が絶縁本体２００の後端面より絶縁本体２００中に取付けられ、リブ３０５が収容溝２０７中に収容され、並びに絶縁係止体３００の第２突起３０９と絶縁本体２００の第２嵌め口２０９の嵌合及び固定ブロック５００の第１突起５０７と絶縁本体２００の第１嵌め口２０８との嵌合により、絶縁係止体３００と固定ブロック５００が絶縁本体２００の収容室２０６中に収容され並びに絶縁本体２００と固定される。最後に、絶縁本体２００上が金属ケース１００で被覆される。
【００１９】
上述したように、本考案の電気コネクタの固定ブロック５００は導電端子の外部回路板とはんだ付けされる一端に対して安定した位置決めを行ない、これにより、導電端子のはんだ付け時に湾曲しにくくし、これにより該電気コネクタの組立をスピーディーに、正確に行えるようにし、該電気コネクタの組立効率を高め、生産コストを下げる。
【符号の説明】
【００２０】
１００  金属ケース            １０１  接続口
１０２  係止舌部              １０３  ピン
２００  絶縁本体              ２０１  第１ベース
２０２  上壁                  ２０３  側壁
２０４  底壁                  ２０５  第１挿入部
２０６  収容室                ２０７  収容溝
２０８  第１嵌め口            ２０９  第２嵌め口
３００  絶縁係止体            ３０１  第２ベース
３０２  第２挿入部            ３０３  第１端子溝
３０４  第２端子溝            ３０５  リブ
３０６  開口                  ３０７  挿入ブロック
３０８  フック                ３０９  第２突起
４１０  第１導電端子          ４１１  第１固定部
４１２  第１接触部            ４１３  第１ソルダー部
４１４  刺部                  ４２０  第２導電端子
４２１  第２固定部            ４２２  第２接触部
４２３  第２ソルダー部        ５００  固定ブロック
５０１  第３ベース            ５０２  凸塊
５０３  係合部                ５０４  挿入溝
５０５  第１貫通溝            ５０６  第２貫通溝
５０７  第１突起
【図１】
0003161645.tif 000003
【図２】
0003161645.tif 000004
【図３】
0003161645.tif 000005
【図４】
0003161645.tif 000006
【図５】
0003161645.tif 000007